(57)【要約】【課題】雑誌及び付録の内容を容易に確認可能であって、雑誌から付録が離脱するのを防止することができ、優れた陳列効果を発揮する、雑誌陳列用具を提供する。【解決手段】雑誌陳列用具１０は、可撓性を有するシート材で形成された長方形のカバー部材１１と、カバー部材１１の片方の面（内側の面）に互いに開口部１２ａ，１３ａを対向させて形成された一対の横ポケット１２，１３と、横ポケット１２，１３のそれぞれの外面に形成された内ポケット１４，１５と、を備えている。横ポケット１２，１３の開口部１２ａ，１３ａと、内ポケット１４，１５の開口部１４ａ，１５ａと、は互いに直角をなしている。内ポケット１４，１５には、それぞれ襠１４ｂ，１５ｂが設けられている。また、カバー部材１１の他方の面（外側の面）には二つの外ポケットが設けられている。【選択図】図２
0003146437.tif 000002
【実用新案登録請求の範囲】
【請求項１】
可撓性を有するシート材で形成されたカバー部材と、前記カバー部材の片方の面に互いに開口部を対向させて形成された一対の横ポケットと、前記横ポケットの外面に形成された内ポケットと、を備えたことを特徴とする雑誌陳列用具。
【請求項２】
前記内ポケットに襠を設けたことを特徴とする請求項１記載の雑誌陳列用具。
【請求項３】
前記カバー部材の他方の面に外ポケットを設けたことを特徴とする請求項１または２記載の雑誌陳列用具。
【請求項４】
前記カバー部材、前記内ポケット、前記外ポケットの少なくとも一部を透光性材料で形成したことを特徴とする請求項１〜３のいずれかに記載の雑誌陳列用具。
【考案の詳細な説明】
【技術分野】
【０００１】
本考案は、書店、コンビニエンスストアなどにおいて販売される雑誌や書籍などを陳列する際に使用する雑誌陳列用具に関する。
【背景技術】
【０００２】
書店やコンビニエンスストアなどで販売される雑誌は、所定の陳列台の上に平積み陳列されたり、専用の陳列棚に起立状態で陳列されたりしているが、付録付きの雑誌の場合、陳列中に、付録が本誌から離脱したり、紛失したりすることがあるので、それを防ぐための様々な技術手段が提案されている（例えば、特許文献１〜３参照）。
【０００３】
【特許文献１】特開２００８−１４３５９３号公報
【特許文献２】特開２０００−１４１９４５号公報
【特許文献３】登録実用新案第３００１９４３号公報
【考案の開示】
【考案が解決しようとする課題】
【０００４】
特許文献１記載の「結束用留め具」は、装着が簡単であり、付録と雑誌とを一体化することができるので、付録の離脱や紛失を防止することができる点において優れているが、購入希望者が雑誌中の記事に目を通したり、付録の内容を確認したりすることが困難である。
【０００５】
また、特許文献２記載の「本用容器」は、予めセットされた本の内容の一部を確認することはできるが、立ち読み防止を主目的としているため、本の全容や付録の内容を確認することは困難である。
【０００６】
一方、引用文献３記載の「雑誌の付録収納袋」は、本誌から付録が離脱しないように保持することはできるが、前述と同様、付録の内容を確認することは容易ではない。
【０００７】
本考案が解決しようとする課題は、雑誌及び付録の内容を容易に確認可能であって、雑誌から付録が離脱するのを防止することができ、優れた陳列効果を発揮する、雑誌陳列用具を提供することにある。
【課題を解決するための手段】
【０００８】
本考案の雑誌陳列用具は、可撓性を有するシート材で形成されたカバー部材と、前記カバー部材の片方の面に互いに開口部を対向させて形成された一対の横ポケットと、前記横ポケットの外面に形成された内ポケットと、を備えたことを特徴とする。
【０００９】
このような構成とすれば、カバー部材に設けられた一対の横ポケット内へ雑誌の表紙及び裏表紙をそれぞれ挿入することにより、雑誌陳列用具は当該雑誌にブックカバー状態に装着され、横ポケットの外面に設けられた内ポケットに付録を収容することができる。これにより、雑誌の表紙及び裏表紙の外面はカバー部材によって覆われた状態となるが、雑誌の各ページは自由に開いたり、閉じたりすることができるので、雑誌及び付録の内容を容易に確認することができる。
【００１０】
また、前述の状態で雑誌の表紙を閉じれば、雑誌の間に付録が挟持された状態となり、雑誌と付録とが一体的に保持されるため、雑誌から付録が離脱するのを防止することができる。このように、本考案の雑誌陳列用具は、雑誌からの付録の離脱を防止しつつ、雑誌及び付録を閲覧自由に収容することができるため、優れた陳列効果を発揮する。
【００１１】
ここで、前記内ポケット部に襠を設けることが望ましい。このような構成とすれば、比較的厚さの大きな付録であっても内ポケットに容易に収容可能となるので、利便性が向上する。
【００１２】
また、前記カバー部材の他方の面に外ポケットを設けることが望ましい。このような構成とすれば、比較的薄い付録や販売促進用のカード、パンフレットなどを収容可能となるため、さらに利便性が向上するだけでなく、陳列効果を高めることができる。
【００１３】
一方、前記カバー部材、前記内ポケット、前記外ポケットの少なくとも一部を透光性材料で形成することが望ましい。このような構成とすれば、カバー部材で覆われた雑誌の表紙や裏表紙、内ポケットや外ポケットに収容された物品などが外から良く見えるようになるため、陳列効果が高まる。また、雑誌の中身や付録の内容などを目視確認し易くなるので、購入予定者にとっても便利である。
【考案の効果】
【００１４】
本考案により、雑誌及び付録の内容を容易に確認可能であって、雑誌から付録が離脱するのを防止することができ、優れた陳列効果を発揮する、雑誌陳列用具を提供することができる。
【考案を実施するための最良の形態】
【００１５】
以下、図面に基づいて本考案の実施の形態について説明する。図１は本考案の実施の形態である雑誌陳列用具を示す外面斜視図、図２は図１に示す雑誌陳列用具の内面斜視図である。
【００１６】
図１，図２に示すように、本実施形態の雑誌陳列用具１０は、可撓性を有するシート材で形成された長方形のカバー部材１１と、カバー部材１１の片方の面（内側の面）に互いに開口部１２ａ，１３ａを対向させて形成された一対の横ポケット１２，１３と、横ポケット１２，１３のそれぞれの外面に形成された内ポケット１４，１５と、を備えている。横ポケット１２，１３の開口部１２ａ，１３ａと、内ポケット１４，１５の開口部１４ａ，１５ａとは互いに直角をなしている。また、内ポケット１４，１５には、それぞれ襠１４ｂ，１５ｂが設けられている。
【００１７】
図１に示すように、カバー部材１１の他方の面（外側の面）には、二つの外ポケット１６，１７が設けられている。外ポケット１６，１７の開口部１６ａ，１７ａは、図２に示す内ポケット１４，１５の開口部１４ａ，１５ａと同じ向きに形成されている。外ポケット１６，１７より、内ポケット１４，１５の方が深く形成されているが、これに限定するものではない。また、外ポケット１６と内ポケット１４とは横ポケット１２を挟むように配置され、外ポケット１７と内ポケット１５とは横ポケット１３を挟むように配置されている。
【００１８】
カバー部材１１、横ポケット１２，１３、内ポケット１４，１５及び外ポケット１６，１７は全て透光性及び可撓性を有する合成樹脂製のシート材の周縁部を熱溶着することによって形成されているが、製造方法を限定するものではない。
【００１９】
次に、図３〜図５に基づいて雑誌陳列用具１０の使い方、機能などについて説明する。図３は図２に示す雑誌陳列用具に雑誌をセットしている状態を示す斜視図、図４は図３に示す雑誌陳列用具に付録をセットしている状態を示す斜視図、図５は雑誌及び付録などのセットが完了した雑誌陳列用具を示す斜視図である。
【００２０】
図３に示すように、雑誌陳列用具１０のカバー部材１１に設けられた一対の横ポケット１２，１３の開口部１２ａ，１３ａを通って各横ポケット１２，１３内へ、雑誌Ｍの表紙Ｍ１及び裏表紙Ｍ３をそれぞれ挿入すると、雑誌陳列用具１０は当該雑誌Ｍにブックカバー状態に装着される。
【００２１】
次に、図４に示すように、横ポケット１２，１３の外面に設けられた内ポケット１４，１５に、開口部１４ａ，１５ａを通して、それぞれ付録Ｓ１，Ｓ２を収容する。この後、図５に示すように、表紙Ｍ１及び裏表紙Ｍ３を閉じれば、平積み陳列したり、書架に立てた状態で陳列したりすることができる。また、外ポケット１６などに開口部１６ａを通して販売促進用のカードＣなどを挿入することもできる。
【００２２】
図５に示すように、雑誌陳列用具１０を雑誌Ｍに装着することにより、雑誌Ｍの表紙Ｍ１及び裏表紙Ｍ３の外面はカバー部材１１によって覆われた状態となるが、雑誌Ｍの本体部Ｍ２は拘束されないので、各ページは自由に開いたり、閉じたりすることができる。従って、書店などを訪れた客は、雑誌陳列用具１０が装着された雑誌Ｍを手にとって雑誌Ｍの記事や付録Ｓ１，Ｓ２の内容などを容易に目視確認することができる。
【００２３】
また、図５に示すように、雑誌Ｍの表紙Ｍ１を閉じれば、雑誌Ｍの間に付録Ｓ１，Ｓ２が挟持された状態となり、雑誌Ｍと付録Ｓ１，Ｓ２とが一体的に保持されるため、雑誌Ｍから付録Ｓ１，Ｓ２が離脱するのを防止することができる。このように、雑誌陳列用具１０は、雑誌Ｍからの付録Ｓ１，Ｓ２の離脱を防止しつつ、雑誌Ｍ及び付録Ｓ１，Ｓ２を閲覧可能に収容することができるため、優れた陳列効果を発揮する。
【００２４】
また、内ポケット１４，１５にはそれぞれ襠１４ｂ，１５ｂが設けられているため、比較的厚さの大きな付録Ｓ１，Ｓ２であっても内ポケット１４，１５に容易に収容することができ、利便性に優れている。
【００２５】
さらに、カバー部材１１の他方の面（外側の面）に外ポケット１６，１７が設けられているため、比較的薄い付録や販売促進用のカードＣあるいはパンフレットなどを外ポケット１６，１７に収容して陳列することもできる。これにより、利便性が向上するだけでなく、陳列効果を高めることができる。
【００２６】
前述したように、雑誌陳列用具１０においては、カバー部材１１、横ポケット１２，１３、内ポケット１４，１５及び外ポケット１６，１７が、全て透光性及び可撓性を有する合成樹脂製のシート材で形成されている。従って、カバー部材１１で覆われた雑誌Ｍの表紙Ｍ１や裏表紙Ｍ３、内ポケット１４，１５や外ポケット１６，１７に収容されたカードＣなどが外から良く見え、優れた陳列効果を発揮する。また、雑誌Ｍの中身や付録Ｓ１，Ｓ２の内容などを目視確認し易くなるので、書店などを訪れた客にとっても便利である。
【産業上の利用可能性】
【００２７】
本考案に係る雑誌陳列用具は、書店あるいはコンビニエンスストアの雑誌売り場などにおいて広く利用することができる。
【図面の簡単な説明】
【００２８】
【図１】本考案の実施の形態である雑誌陳列用具を示す外面斜視図である。
【図２】図１に示す雑誌陳列用具の内面斜視図である。
【図３】図２に示す雑誌陳列用具に雑誌をセットしている状態を示す斜視図である。
【図４】図３に示す雑誌陳列用具に付録をセットしている状態を示す斜視図である。
【図５】雑誌及び付録などのセットが完了した雑誌陳列用具を示す斜視図である。
【符号の説明】
【００２９】
１０  雑誌陳列用具
１１  カバー部材
１２，１３  横ポケット
１４，１５  内ポケット
１６，１７  外ポケット
１２ａ，１３ａ，１４ａ，１５ａ，１６ａ，１７ａ  開口部
１４ｂ，１５ｂ  襠
Ｃ  カード
Ｍ  雑誌
Ｍ１  表紙
Ｍ２  本体部
Ｍ３  裏表紙
Ｓ１，Ｓ２  付録
【図１】
0003146437.tif 000003
【図２】
0003146437.tif 000004
【図３】
0003146437.tif 000005
【図４】
0003146437.tif 000006
【図５】
0003146437.tif 000007